(57)【要約】【課題】外周の一部に形成した切欠段部を用いて連れ回り止めとし、ボルトによるレゾルバステータの固定を確実とする。【解決手段】本発明によるモータ構造は、後蓋(1)の輪状突部(20)にレゾルバステータ(2)を取付ける場合、ナット(4)に形成した切欠段部(23)を取付長穴(22)に嵌入させることにより、ボルト(3)の締結時の連れ回りを防止し、組立てを容易化する構成である。【選択図】図４
2005065418.tif 000002
【特許請求の範囲】
【請求項１】
ステータ巻線(11)を有する輪状ステータ(12)を設けたモータケース(10)と、前記モータケース(10)の両端に設けられ第１、第２軸受(13,15)を有する前蓋(14)及び後蓋(1)と、前記各軸受(13,15)を介して回転自在に設けられロータ(17)を有すると共に前記輪状ステータ(12)の内側に位置する回転軸(18)と、前記後蓋(1)の輪状突部(20)に設けられたレゾルバステータ(2)と、前記回転軸(18)に設けられ前記レゾルバステータ(2)に対応するレゾルバロータ(19)と、前記輪状突部(20)を軸方向に沿って貫通する貫通孔(21)と、前記レゾルバステータ(2)に形成され前記貫通孔(21)と連通する取付長穴(22)と、前記貫通孔(21)及び取付長穴(22)を貫通するボルト(3)と、前記ボルト(3)の先端に螺合されたナット(4)とを備え、前記ボルト(3)とナット(4)で前記レゾルバステータ(2)を前記輪状突部(20)に固定するようにしたモータ構造において、
前記ナット(4)の外周の一部に切欠段部(23)を形成し、前記切欠段部(23)を前記取付長穴(22)の開口縁(22a)に嵌合させ、前記取付長穴(22)に対して前記ナット(4)は回り止めの状態で保持されていることを特徴とするモータ構造。
【請求項２】
前記ナット(4)は６角ナットからなり、前記６角ナットの２ヶ所の角部に前記切欠段部が形成され、前記取付長穴(22)は４角長穴よりなることを特徴とする請求項１記載のモータ構造。
【発明の詳細な説明】
【技術分野】
【０００１】
本発明は、ナットの一部に形成した切欠段部を用いて回り止めとすることによりレゾルバステータの取付を容易とするモータ構造に関するものである。
【背景技術】
【０００２】
従来、用いられていたこの種のモータ構造におけるレゾルバステータの取付構造としては、社内製作のみであるため、その構造を示す特許文献等は開示していないが、図５で示されるように、後蓋１に取付けるレゾルバステータ２は、ボルト３とナット４によって固定されている。
【発明の開示】
【発明が解決しようとする課題】
【０００３】
従来のモータ構造は、以上のように構成されていたため、次のような課題が存在していた。
すなわち、ナットとボルトの組合せでボルトを締めると、ナットがつれ回りを起し、締め動作が難しく、波ワッシャ等の他の部品をナットに設けなければならず、工数の増加、コストアップとなっていた。
【課題を解決するための手段】
【０００４】
本発明によるモータ構造は、ステータ巻線を有する輪状ステータを設けたモータケースと、前記モータケースの両端に設けられ第１、第２軸受を有する前蓋及び後蓋と、前記各軸受を介して回転自在に設けられロータを有すると共に前記輪状ステータの内側に位置する回転軸と、前記後蓋の輪状突部に設けられたレゾルバステータと、前記回転軸に設けられ前記レゾルバステータに対応するレゾルバロータと、前記輪状突部を軸方向に沿って貫通する貫通孔と、前記レゾルバステータに形成され前記貫通孔と連通する取付長穴と、前記貫通孔及び取付長穴を貫通するボルトと、前記ボルトの先端に螺合されたナットとを備え、前記ボルトとナットで前記レゾルバステータを前記輪状突部に固定するようにしたモータ構造において、前記ナットの外周の一部に切欠段部を形成し、前記切欠段部を前記取付長穴の開口縁に嵌合させ、前記取付長穴に対して前記ナットは回り止めの状態で保持されている構成であり、また、前記ナットは６角ナットからなり、前記６角ナットの２ヶ所の角部に前記切欠段部が形成され、前記取付長穴は４角長穴よりなる構成である。
【発明の効果】
【０００５】
本発明によるモータ構造は以上のように構成されているため、次のような効果を得ることができる。
すなわち、ナットの一部に形成した切欠段部を後蓋の取付長穴に嵌入して取付けているため、この取付長穴に対してナットが回転することがなく、ボルトの締結が容易となり、部品点数を増加させることもなく、モータの組立てが容易となる。
【発明を実施するための最良の形態】
【０００６】
本発明においては、ナットの一部に切欠段部を形成することにより、この切欠段部を後蓋の取付長穴に嵌合させることにより、回り止めが達成され、ボルトによるレゾルバステータの固定が容易となる。
【実施例１】
【０００７】
以下、図面と共に本発明によるモータ構造の好適な実施の形態について説明する。尚、図５と同一又は同等部分については同一符号を用いて説明する。
図１において符号１０で示されるものは筒形をなすモータケースであり、このモータケース１０の内面には全体形状が輪状をなすと共にステータ巻線１１を有する輪状ステータ１２が設けられている。
【０００８】
前記モータケース１０の両端には、第１軸受１３を有する前蓋１４と、第２軸受１５を有する後蓋１とが取付ボルト１６を介して取付けられている。
前記各軸受１３、１５間には、ロータ１７を有すると共にレゾルバロータ１９を有する回転軸１８が回転自在に設けられている。
【０００９】
前記後蓋１の内面には、輪状突部２０が内方へ向けかつ軸方向に沿って突出して形成されており、この輪状突部２０には前記レゾルバロータ１９と対応して輪状のレゾルバステータ２が設けられている。
前記後蓋１に形成された貫通孔２１は、前記レゾルバステータ２に形成された例えば四角長穴からなる取付長穴２２に対して対応かつ連通するように形成されている。
【００１０】
前記貫通孔２１に貫通して挿入されたボルト３は、前記取付長穴２２を貫通して配設されている。
前記取付長穴２２には、図３及び図４で示されるように、６角形のナット４が嵌合して設けられている。
すなわち、このナット４の外周の一部である角部４ａには、１８０度対向する状態で一対の切欠段部２３が形成され、この切欠段部２３はその軸方向に壁部２４を残した状態で形成されている。
【００１１】
前記各切欠段部２３は、前記ナット４を四角長穴状の前記取付長穴２２内に嵌入させた状態では、この取付長穴２２の開口縁２２ａ及び内壁に嵌合し、回り止めの状態となる。
【００１２】
従って、前述の状態で、ボルト３をナット４に螺合させることにより、ナット４はボルト３と共に連れ回りすることなく、簡単にボルト３を締めることができ、レゾルバステータ２を輪状突部２０に簡単に固定することができる。
尚、前述の場合、取付長穴２２は４角形として述べたが、４角以外も可である。
【産業上の利用可能性】
【００１３】
本発明のモータ構造においては、後蓋の輪状突部にレゾルバステータを取付ける場合に、一部を切欠いたナットを用いてボルト締結時の連れ回りを防止しているため、他の各種検出器及びプリント基板等の取付けに適用できる。
【図面の簡単な説明】
【００１４】
【図１】本発明のモータ構造を示す断面図である。（実施例１）
【図２】図１のナットを示す拡大側面図である。
【図３】図１の要部を示す拡大側面図である。
【図４】図１のナットの嵌入状態を示す拡大断面図である。
【図５】従来例を示す要部の構成図である。
【符号の説明】
【００１５】
１    後蓋
２    レゾルバステータ
３    ボルト
４    ナット
１０    モータケース
１１    ステータ巻線
１２    輪状ステータ
１３、１５    第１、第２軸受
１７    ロータ
１８    回転軸
１９    レゾルバロータ
２０    輪状突部
２１    貫通孔
２２    取付長穴
２３    切欠段部
２２ａ    開口縁
【図１】
2005065418.tif 000003
【図２】
2005065418.tif 000004
【図３】
2005065418.tif 000005
【図４】
2005065418.tif 000006
【図５】
2005065418.tif 000007